(57)【特許請求の範囲】
【請求項１】
着座者を支持する椅子の座部材であって、
後端部が、前記座部材を支持する前記椅子の脚部または前記座部材の後方に設けられた背凭れ部に対して回動自在に連結された着座部材と、
前記着座部材の下部を覆う下部カバーと、を備え、
前記下部カバーは、前記着座部材の一端部が挿入される挿入凹部と、前記着座部材の他端部を保持する保持部と、を備え、
前記挿入凹部は、上下方向に直交する面内のうち、前記一端部と前記他端部とを結ぶ第一方向に延在し、
前記下部カバーの少なくとも一部は、前記着座部材が前記下部カバーに装着されるときに前記上下方向及び前記第一方向に直交する第二方向に弾性変形可能であり、
前記下部カバーの前記弾性変形が復元することにより、前記保持部は前記着座部材を保持することを特徴とする座部材。
【請求項２】
前記着座部材は、後端部が、前記座部材を支持する前記椅子の脚部または前記座部材の後方に設けられた背凭れ部に対して回動自在に連結された座部フレームと、前記座部フレームの上部を覆う座面部材と、を備え、
前記座部フレームは、前記一端部として前端部が前記挿入凹部に挿入され、前記他端部として後端部が前記保持部に保持されることを特徴とする請求項１に記載の座部材。
【請求項３】
着座者を支持する椅子の座部材であって、
後端部が、前記座部材を支持する前記椅子の脚部または前記座部材の後方に設けられた背凭れ部に対して回動自在に連結された座部フレーム、及び前記座部フレームの上部を覆う座面部材を有する着座部材と、
前記着座部材の下部を覆う下部カバーと、を備え、
前記下部カバーは、前記座部フレームの一端部が挿入される挿入凹部と、前記座部フレームの他端部を保持する保持部と、を備え、
前記下部カバーの少なくとも一部は、前記着座部材が前記下部カバーに装着されるときに弾性変形可能であり、
前記下部カバーの前記弾性変形が復元することにより、前記保持部は前記着座部材を保持し、
前記座部フレームは、前記一端部として前端部が前記挿入凹部に挿入され、前記他端部として後端部が前記保持部に保持され、
前記座部フレームの後端部に、上方に向けて延び、前記背凭れ部に対して回動自在に連結される支持アームが設けられ、
前記保持部は、前記下部カバーの後端部に、前記支持アームの側方を覆うように設けられていることを特徴とする座部材。
【請求項４】
前記座部フレームは、上下方向に直交する面内のうち、前記一端部と前記他端部とを結ぶ第一方向及び前記上下方向に直交する第二方向に延びる位置決め部を備え、
前記下部カバーは、前記位置決め部の前記第一方向への移動を制限する移動制限部を備えていることを特徴とする請求項２または３に記載の座部材。
【請求項５】
前記座面部材は、前記座部フレームに係合する係合部材を備えていることを特徴とする請求項２から４のいずれか一項に記載の座部材。
【請求項６】
前記脚部と、
請求項１から５のいずれか一項に記載の座部材と、
前記座部材の後方に設けられた前記背凭れ部と、を備えることを特徴とする椅子。
【発明の詳細な説明】
【技術分野】
【０００１】
本発明は、座部材、椅子に関するものである。
【背景技術】
【０００２】
一般的に、椅子は、脚部と、脚部に支持された座部と、座部の後方に設けられた背凭れ部とを備えている。このような椅子において、座部が、脚部に連結されたパイプ状のフレームと、フレームの上方を覆い、座面を形成する座面部材と、フレームの下方を覆う下部カバーと、を備えたものがある（例えば、特許文献１，２参照）。
【０００３】
特許文献１において、椅子を組み立てるに際しては、まずフレーム（座受ブラケット）を脚部に連結している。次いで、フレーム上に座面部材をネジで固定する。この後、フレームの下側に下部カバー（座裏カバー）の前端部を係止させるとともに、下部カバーの後端部をネジによりフレームおよび座面部材に締結して固定している。
【０００４】
また、特許文献２において、椅子を組み立てるに際しては、予め、フレーム（芯部材）に下部カバー（アウターカバー）をネジで固定している。そして、フレームを備えた下部カバーを、脚部に連結する。この後、下部カバー上に座面部材を嵌め込んでいる。
【先行技術文献】
【特許文献】
【０００５】
【特許文献１】特開２００４−２５５００１号公報
【特許文献２】特開２００９−１０６４２２号公報
【発明の概要】
【発明が解決しようとする課題】
【０００６】
しかしながら、特許文献１に開示された構成においては、下部カバーをフレームの下側に取り付ける際に脚部を床面に設置した状態では、下部カバーの前端部の係止部位や、後端部のネジによる固定部位を目視しながら作業するのは困難である。そこで、椅子を上下に反転すれば、これらの部位を目視しながら下部カバーを取り付けることができる。しかしこれでは、作業者にとって、椅子の上下を反転する手間と負担がかかる。
【０００７】
また、特許文献１，２に開示された構成では、下部カバーとフレームとをネジによって固定している。ネジによる固定には、手間がかかる。
【０００８】
そこでなされた本発明の目的は、椅子の座部材の組立作業性を高めることのできる座部材、椅子を提供することである。
【課題を解決するための手段】
【０００９】
本発明は、上記課題を解決するため、以下の手段を採用する。
この発明に係る座部材は、着座者を支持する椅子の座部材であって、後端部が、前記座部材を支持する前記椅子の脚部または前記座部材の後方に設けられた背凭れ部に対して回動自在に連結された着座部材と、前記着座部材の下部を覆う下部カバーと、を備え、前記下部カバーは、前記着座部材の一端部が挿入される挿入凹部と、前記着座部材の他端部を保持する保持部と、を備え、前記挿入凹部は、上下方向に直交する面内のうち、前記一端部と前記他端部とを結ぶ第一方向に延在し、前記下部カバーの少なくとも一部は、前記着座部材が前記下部カバーに装着されるときに前記上下方向及び前記第一方向に直交する第二方向に弾性変形可能であり、前記下部カバーの前記弾性変形が復元することにより、前記保持部は前記着座部材を保持することを特徴とする。
【００１０】
このような構成によれば、下部カバーに設けられた保持部や、保持部の近傍等、下部カバーの一部における弾性変形を利用することによって、着座部材の他端部を容易に保持部で保持することができる。これにより着座部材は、一端部が挿入凹部に挿入されるとともに、他端部が保持部に保持されることによって、着座部材と下部カバーとをネジで固定することなく、下部カバーと一体化することができる。これにより、座部材の組立に際し、着座部材と下部カバーとを椅子への取付け以前に一体化することができる。したがって、座部材の組立の際に椅子の上下を反転させる必要がない。
【００１１】
また、前記着座部材は、後端部が、前記座部材を支持する前記椅子の脚部または前記座部材の後方に設けられた背凭れ部に対して回動自在に連結された座部フレームと、前記座部フレームの上部を覆う座面部材と、を備え、前記座部フレームは、前記一端部として前端部が前記挿入凹部に挿入され、前記他端部として後端部が前記保持部に保持されるようにしてもよい。
このような構成では、座部フレームは、挿入凹部に対して後方から前端部を挿入することで、座部フレームの前端部を、前後方向に直交する方向、および前方への移動が規制される。この状態で、座部フレームの後端部を保持部に保持させることで、座部フレームと下部カバーとを一体化することができる。これにより、座部材の組立に際し、座部フレームと下部カバーとを一体化した後に、座部フレーム上を覆うように座面部材を装着すればよい。したがって、座部材の組立の際に椅子の上下を反転させる必要がない。
【００１２】
また、この発明に係る座部材は、着座者を支持する椅子の座部材であって、後端部が、前記座部材を支持する前記椅子の脚部または前記座部材の後方に設けられた背凭れ部に対して回動自在に連結された座部フレーム、及び前記座部フレームの上部を覆う座面部材を有する着座部材と、前記着座部材の下部を覆う下部カバーと、を備え、前記下部カバーは、前記座部フレームの一端部が挿入される挿入凹部と、前記座部フレームの他端部を保持する保持部と、を備え、前記下部カバーの少なくとも一部は、前記着座部材が前記下部カバーに装着されるときに弾性変形可能であり、前記下部カバーの前記弾性変形が復元することにより、前記保持部は前記着座部材を保持し、前記座部フレームは、前記一端部として前端部が前記挿入凹部に挿入され、前記他端部として後端部が前記保持部に保持され、
前記座部フレームの後端部に、上方に向けて延び、前記背凭れ部に対して回動自在に連結される支持アームが設けられ、前記保持部は、前記下部カバーの後端部に、前記支持アームの側方を覆うように設けられていることを特徴とする。
このような構成によれば、上方に向けて延びる支持アームが保持部に覆われることによって、支持アームの露出を避けることができる。また、保持部で支持アームを覆うことで、別途、支持アームを覆うためのカバー等を設ける必要がない。
さらに、保持部は、支持アームの側方を覆うように上方に向けて延びている。つまり、保持部は、下部カバーの後端部から上方に延びていない場合に比較すると、その長さが長い。したがって、支持アームを保持するに際して他端部との干渉を避けるときに、上方に向けて延びる保持部の上端部に力を加えることによって、保持部を容易に弾性変形させることができる。
【００１３】
また、前記座部フレームは、上下方向に直交する面内のうち、前記一端部と前記他端部とを結ぶ第一方向及び前記上下方向に直交する第二方向に延びる位置決め部を備え、前記下部カバーは、前記位置決め部の前記第一方向への移動を制限する移動制限部を備えているようにしてもよい。
このように、挿入凹部と保持部に加え、移動制限部で座部フレームの移動を制限することで、座部フレームを下部カバーに対して確実に固定することが可能となる。
【００１４】
また、前記座面部材は、前記座部フレームに係合する係合部材を備えているようにしてもよい。
このように構成することで、座面部材と下部カバーとが、それぞれ座部フレームに保持され、これら座面部材、下部カバー、座部フレームを容易に一体化することができる。
【００１５】
この発明に係る椅子は、前記脚部と、上記したような座部材と、前記座部材の後方に設けられた前記背凭れ部と、を備えることを特徴とする。
このように構成することで、座部材の組立に際し、着座部材と下部カバーとを椅子への取付け以前に一体化することができる。したがって、座部材の組立の際に椅子の上下を反転させる必要がない。
【発明の効果】
【００１６】
この発明に係る座部材、椅子によれば、椅子の座部材の組立作業性を高めることが可能となる。
【図面の簡単な説明】
【００１７】
【図１】本実施形態に係る椅子の正面図である。
【図２】本実施形態に係る椅子の右側面図である。
【図３】椅子において座部を上方に跳ね上げた状態を示す右側面図である。
【図４】座部の下面図である。
【図５】座部の左右方向中心に沿った側断面図である。
【図６】座部を構成する座部フレームおよび下部カバーを示す図であり、（ａ）は下部カバーに座部フレームを装着する前の状態を示す斜視図、（ｂ）は下部カバーに座部フレームを装着した状態を示す斜視図である。
【図７】座部を構成する座部フレーム、下部カバー、座面部材のベース板を示す図であり、図４におけるＡ−Ａ矢視断面図である。
【図８】ベース板の下面図である。
【発明を実施するための形態】
【００１８】
以下、添付図面を参照して、本発明の一実施形態に係る椅子について説明する。
図１は、本実施形態に係る椅子の正面図である。図２は、本実施形態に係る椅子の右側面図である。
図１、図２に示すように、椅子１は、床面上に載置される脚部１０と、脚部１０に支持された座部（座部材）２０と、座部２０の後方に設けられた背凭れ部３０と、を備えている。
以下の説明において、便宜上、椅子１の座部２０上に背凭れ部３０に着座した椅子利用者が前を向く方向を「前方」、その反対方向を「後方」、つまり図１に示す紙面に直交する方向を前後方向と称する。さらに、椅子１を設置する床側とその反対側を結ぶ方向を上下方向、椅子１の幅方向、つまり図１の紙面に沿った横方向を左右方向と称する。
【００１９】
（脚部）
脚部１０は、左右一対で構成された脚フレーム１１，１１と、これら左右の脚フレーム１１，１１どうしを連結する前フレーム１２と、を一体に備えている。脚部１０は、金属材料からなる管状の材料により形成されている。
【００２０】
それぞれの脚フレーム１１は、前方に配設された前脚１３と、後方に配設された後脚１４と、前脚１３の上部と後脚１４の上部とを互いに連結する上部連結杆１５と、を有している。
【００２１】
前脚１３は、その下端から鉛直上方に延びる鉛直部１３ａと、鉛直部１３ａの上端で湾曲して後方に向けて斜め上方に延びる斜行部１３ｂと、を有している。この前脚１３の鉛直部１３ａの下端には、キャスター１６が装着されている。
【００２２】
後脚１４は、その下端から鉛直上方に延びる鉛直部１４ａと、鉛直部１４ａの上方で湾曲して前方に向けて斜め上方に延びる斜行部１４ｂと、を有している。この後脚１４の鉛直部１４ａの下端には、キャスター１７が装着されている。
また、後脚１４は、斜行部１４ｂに連続し、さらに斜め上方に延びる上方延出部１８を一体に備えている。
【００２３】
上部連結杆１５は、前脚１３の斜行部１３ｂの上端に連続して形成され、斜行部１３ｂの上端で湾曲して後方に向かうにしたがって次第に上方に向かって延びるよう形成されている。上部連結杆１５の後端１５ｂは、後脚１４の斜行部１４ｂの上部に溶接、ロウ付け等により接合されている。
【００２４】
前フレーム１２は、左右の前脚１３，１３の斜行部１３ｂ，１３ｂの上端部から前方に向けて斜め上方に延びる斜行部１２ａ，１２ａと、斜行部１２ａの上方で湾曲して左右方向（水平方向）に延び、斜行部１２ａ，１２ａどうしを連結する水平フレーム部１２ｂと、を一体に備えている。前フレーム１２の各斜行部１２ａの下端は、前脚１３の斜行部１３ｂの上端部に溶接またはロウ付け等により接合されている。
この前フレーム１２により、左右の脚フレーム１１，１１は、その前部において互いに連結されている。この前フレーム１２は、座部２０に着座する利用者の体重が左右の前脚１３，１３に作用する際に、これら前脚１３，１３が左右方向外側に拡開することを防ぐ役割を担っている。
【００２５】
このような脚部１０において、左右の脚フレーム１１、１１の前脚１３及び後脚１４は、上方から下方に向かうにしたがって左右方向外側に向かうように形成されている。
また、左右の脚フレーム１１，１１において、左右の上部連結杆１５，１５は、その間隔が、それぞれの後端１５ｂから前端１５ａに向けて漸次小さくなるよう設けられている。これにより、左右の前脚１３，１３は、左右の後脚１４，１４に対し、床面から同じ高さにおける左右方向の間隔が小さい。
【００２６】
（背凭れ部）
背凭れ部３０は、樹脂材料により形成されている。背凭れ部３０は、板状で座部２０に着座する利用者の背中を受ける背本体３１と、背本体３１の左右方向両端の下部にそれぞれ設けられ、脚部１０に支持される被支持部３２と、を備えている。
【００２７】
背本体３１は、利用者の背中から作用する荷重に応じて撓むよう、複数の貫通孔３３が形成されている。これらの貫通孔３３はいかなる形状、レイアウトとしてもよい。例えば、貫通孔３３は、上下方向に延びる一定長のスリット状とすることができる。複数の貫通孔３３を上下方向に沿って間隔をあけて配列する。そして、このような複数の貫通孔３３の列を、左右方向に間隔をあけて複数配置する。ここで、互いに隣接する列の貫通孔３３どうしは、その高さが互いに異なるよう、いわゆる千鳥状に配置してもよい。
【００２８】
被支持部３２は、後脚１４の上方延出部１８が下方から嵌入される凹部（図示無し）を備えている。背凭れ部３０の左右方向両端部に設けられた被支持部３２の凹部（図示無し）に、左右方向両側の上方延出部１８が嵌入されることによって、脚部１０の左右の脚フレーム１１，１１の後脚１４，１４は、背本体３１を介して互いに連結されている。
【００２９】
この背凭れ部３０は、上部が上方に向かうにしたがって後方に傾斜するように形成されている。これにより、座部２０に着座する利用者の背中をより安定的に支持することが可能とされている。
【００３０】
また、背凭れ部３０の被支持部３２には、下方に向かうにしたがって次第に前方に向かって延び、後述する座部２０を支持する座部支持部３５が設けられている。
【００３１】
（座部）
図３は、椅子１において座部２０を上方に跳ね上げた状態を示す側面図である。図４は、座部２０の下面図である。図５は、座部２０の左右方向中心に沿った側断面図である。図６は、座部２０を構成する座部フレームおよび下部カバーを示す図であり、（ａ）は下部カバー２２に座部フレーム２１を装着する状態を示す斜視図、（ｂ）は下部カバー２２に座部フレーム２１を装着した状態を示す斜視図である。
座部２０は、板状をなし、脚部１０の左右の上部連結杆１５，１５および前フレーム１２の上方を覆うように配設されている。また、座部２０は、後端部２０ｒ側が座部支持部３５に回動自在に連結されている。これにより、図３に示すように、座部２０は、前端部２０ｆを上方に跳ね上げることができるようになっている。
【００３２】
図４、図５に示すように、座部２０は、座部フレーム２１と、座部フレーム２１の下方を覆う下部カバー２２と、座部フレーム２１の上方を覆う座面部材２３と、を備えている。ここで、座部フレーム２１と座面部材２３とにより、着座部材が構成されている。
【００３３】
図６に示すように、座部フレーム２１は、座部２０に使用者が着座したときの荷重を支持する強度部材として機能する。座部フレーム２１は、前後方向（第一方向）に延びる左右一対のサイドフレーム２１ａ，２１ａと、サイドフレーム２１ａ，２１ａの後端部どうしを左右方向に連結する後部連結杆２１ｂと、サイドフレーム２１ａ，２１ａどうしを後部連結杆２１ｂよりも前方で左右方向（第二方向）に連結する前部連結杆（位置決め部）２４と、を備えている。座部フレーム２１は、金属材料からなる管状の部材により形成されている。
左右両側のサイドフレーム２１ａは、後端で湾曲し、後部連結杆２１ｂに連続している。
【００３４】
前部連結杆２４は、所定長にわたって左右方向に延在する中間部２４ａと、中間部２４ａの両端部から斜め上方に向けて延出し、先端部がサイドフレーム２１ａに溶接、ロウ付け等によって接合された斜行部２４ｂと、を備えている。
前部連結杆２４は、両側のサイドフレーム２１ａの前端部（一端部）２１ｆよりも所定寸法後方の位置に設けられている。これにより、それぞれのサイドフレーム２１ａは、その前端部２１ｆが前部連結杆２４よりも前方に突出している。ここで、前部連結杆２４は、サイドフレーム２１ａの前後方向の長さに対し、後方から２／３程度の位置に配置するのが好ましい。
【００３５】
座部フレーム２１は、各サイドフレーム２１ａの後端部から上方に向けて延出する支持アーム２５をさらに備えている。支持アーム２５は、金属材料からなる板状の材料により形成され、上方に向かうにしたがって次第に後方に向かうよう延びている。図６（ａ）に示すように、支持アーム２５の下端部２５ａは、サイドフレーム２１ａの外周面に沿うよう湾曲して形成され、サイドフレーム２１ａに溶接、ロウ付け等により接合されている。支持アーム２５の上端部には、貫通孔２５ｈが支持アーム２５の厚さ方向（左右方向）に貫通して形成されている。
【００３６】
下部カバー２２は、樹脂系材料を、後述するような所定形状に成形することによって構成されている。下部カバー２２は、座部フレーム２１の下方を覆うプレート部２２ａと、プレート部２２ａの外周部から上方に立ち上がる縁部２２ｂと、を備えている。
【００３７】
プレート部２２ａの上面側には、サイドフレーム２１ａ，２１ａの先端部２１ｆ，２１ｆが挿入される挿入部２６，２６と、前部連結杆２４が配置される前部凹部（移動制限部）２７と、後部連結杆２１ｂが配置される後部凹部２８と、プレート部２２ａの前端部において、縁部２２ｂに沿って左右方向に延びる補強リブ２２Ｌと、が一体に形成されている。
【００３８】
挿入部２６は、プレート部２２ａの前端部において左右方向両側にそれぞれ形成されている。挿入部２６は、例えば直方体状で、後方に向けて開口した有底状の挿入穴（挿入凹部）２６ｓを有している。挿入部２６の挿入穴２６ｓには、サイドフレーム２１ａの前端部２１ｆが後方から挿入されるようになっている。
サイドフレーム２１ａの前端部２１ｆは、前方に向かうにしたがってその上下方向の外形寸法が次第に小さくなるように形成してもよい。これにより挿入穴２６ｓへのサイドフレーム２１ａの前端部２１ｆの挿入を容易に行うことができる。
また、プレート部２２ａ上には、挿入部２６から前方に向けて延びる補強リブ２６Ｌを備えている。
【００３９】
図５、図６（ｂ）に示すように、前部凹部２７は、座部フレーム２１の左右のサイドフレーム２１ａの前端部２１ｆをそれぞれ挿入部２６の挿入穴２６ｓに挿入した状態で、前部連結杆２４と対向する位置に形成されている。この前部凹部２７は、左右方向に連続し、下方に向けて凹んでいる。前部凹部２７の底部には、上方に向けて突出する凸部２７ｔが、左右方向に間隔を空けて複数形成されている。この前部凹部２７内には、前部連結杆２４の中間部２４ａが挿入される。そして、中間部２４ａが複数の凸部２７ｔに突き当たることで、前部連結杆２４の下方への移動が規制される。
また、図５に示すように、下部カバー２２のプレート部２２ａの下面２２ｕ側には、前部凹部２７を形成することによって下方に向けて突出し、左右方向に連続する突条５０が形成されている。突条５０の下端部には、上方に向けて凹となる凹溝５１が、左右方向に連続して形成されている。これにより、凹溝５１の両側には、下方に向けて突出する凸部５０ｔ，５０ｔが左右方向に連続して形成されている。
【００４０】
図６（ｂ）に示すように、後部凹部２８は、座部フレーム２１の左右のサイドフレーム２１ａの前端部２１ｆをそれぞれ挿入部２６の挿入穴２６ｓに挿入した状態で、後部連結杆２１ｂおよびその両側に連続するサイドフレーム２１ａ，２１ａの後端部と対向する位置に、下方に向けて凹んで形成されている。
【００４１】
下部カバー２２の後端部の左右方向両側には、縁部２２ｂから連続して上方に向けて立ち上がるアームカバー部（保持部）２９が形成されている。アームカバー部２９は、下部カバー２２の後端部から上方に向かうにしたがって次第に後方に向かうように形成されている。アームカバー部２９は、座部フレーム２１の左右のサイドフレーム２１ａの前端部２１ｆをそれぞれ挿入部２６の挿入穴２６ｓに挿入し、前部連結杆２４の中間部２４ａを前部凹部２７内に挿入した状態で、座部フレーム２１の支持アーム２５に沿う位置に形成されている。図６（ａ）に示すように、アームカバー部２９は、支持アーム２５に対し、左右方向外方側に沿うプレート部２９ｐと、プレート部２９ｐの外周側に沿って左右方向内方に向けて立ち上がる周壁部２９ｗと、を一体に備えている。また、アームカバー部２９のプレート部２９ｐには、貫通孔２９ｈがプレート部２９ｐの厚さ方向（左右方向）に貫通して形成されている。
【００４２】
図６（ｂ）に示すように、このような下部カバー２２に対し、座部フレーム２１は、座部フレーム２１の左右のサイドフレーム２１ａの前端部２１ｆをそれぞれ挿入部２６の挿入穴２６ｓに挿入するとともに、左右の支持アーム２５をアームカバー部２９の周壁部２９ｗの内方でプレート部２９ｐに沿わせて装着される。これにより下部カバー２２と座部フレーム２１とが一体化される。この状態で、前部凹部２７内に、前部連結杆２４の中間部２４ａが配置され、後部凹部２８内に後部連結杆２１ｂおよびその両側に連続するサイドフレーム２１ａ，２１ａの後端部が配置される。
【００４３】
この状態で、左右両側のサイドフレーム２１ａの前端部２１ｆが挿入部２６の有底状の挿入穴２６ｓに後方から挿入されることで、座部フレーム２１は、下部カバー２２に対し、上下方向、左右方向、および前方への移動が規制される。
また、左右両側の支持アーム２５がアームカバー部２９のプレート部２９ｐに沿うことで、座部フレーム２１は、左右方向への移動が規制される。さらに、左右両側の支持アーム２５は、アームカバー部２９の周壁部２９ｗの内方に位置することで、支持アーム２５の上下方向および前後方向への移動範囲が周壁部２９ｗによって規制される。これによって、座部フレーム２１の後端部の上下方向および前後方向への移動範囲が規制される。
さらに、この状態で、前部連結杆２４は、前部凹部２７内に収容され、複数の凸部２７ｔに突き当たる。前部連結杆２４と複数の凸部２７ｔとの間に生じる摩擦によって、座部フレーム２１の前後方向の移動は抑制される。さらに、前部連結杆２４の前後方向への移動量は、前部凹部２７の前後方向の幅の範囲内に規制される。このようにして、座部フレーム２１の前後方向への移動が制限される。
【００４４】
図７は、座部２０を構成する座部フレーム２１、下部カバー２２、座面部材２３のベース板４１を示す図であり、図４におけるＡ−Ａ矢視断面図である。
図７に示すように、下部カバー２２のアームカバー部２９には、内側カバー４０が装着可能とされている。内側カバー４０は、支持アーム２５に対し、アームカバー部２９とは反対側に配置される。内側カバー４０は、アームカバー部２９の周壁部２９ｗの内側の、支持アーム２５を収容した空間を閉塞するよう装着される。内側カバー４０とアームカバー部２９とは、図示しない係止爪等により互いに係合可能とされている。
内側カバー４０には、アームカバー部２９の貫通孔２９ｈに対向する位置に、貫通孔４０ｈ（図５参照）が形成されている。
【００４５】
図５に示すように、座面部材２３は、ベース板４１と、クッション材４２と、表皮材４３と、を備えている。
【００４６】
図８は、ベース板４１の下面図である。
図８に示すように、ベース板４１は、樹脂材料を所定形状に成形することによって構成されている。ベース板４１の下面４１ｕには、左右方向両側に設けられた側部保持部４４と、ベース板４１の前端部４１ｆよりも後方に設けられた前部保持部４５と、ベース板４１の後端部に沿って設けられた後部保持部４６と、が形成されている。
【００４７】
側部保持部４４は、座部フレーム２１のサイドフレーム２１ａを挟んで左右方向に対向する保持壁４４ａ，４４ｂを備えている。ベース板４１において左右方向外方に位置する保持壁４４ａは、ベース板４１の下面から突出し、前後方向に沿って連続して形成されている。ベース板４１において、保持壁４４ａに対して左右方向内方に位置する保持壁４４ｂは、ベース板４１の下面４１ｕから突出して形成されている。
【００４８】
また、側部保持部４４は、保持壁４４ａ，４４ｂの前方と後方に、それぞれ左右一対のクランプ爪（係合部材）４７，４７を備えている。クランプ爪４７，４７は、ベース板４１の下面から下方に向けて突出して形成されている。クランプ爪４７，４７は、座部フレーム２１のサイドフレーム２１ａの外径と同等の幅を隔てて左右方向に沿って対向している。そして、クランプ爪４７，４７の先端部には、クランプ爪４７，４７どうしが対向する方向に突出する係止爪（図示無し）がそれぞれ形成されている。これにより、図７に示すように、クランプ爪４７、４７の間に、座部フレーム２１のサイドフレーム２１ａが嵌め込まれて保持されるようになっている。
【００４９】
図８に示すように、前部保持部４５は、座部フレーム２１の前部連結杆２４が入り込むよう、前後方向に間隔を空けて対向した保持壁４５ａ，４５ｂを備えている。保持壁４５ａ，４５ｂは、ベース板４１の下面から下方に突出し、左右方向に沿って連続して形成されている。図５に示すように、前部保持部４５の保持壁４５ａ，４５ｂの内方に座部フレーム２１の前部連結杆２４が入り込んだ状態で、前部連結杆２４とベース板４１の下面との間には、上下方向に空隙Ｃ１が形成されるようになっている。
【００５０】
図８に示すように、後部保持部４６は、座部フレーム２１の後部連結杆２１ｂが入り込むよう、前後方向に間隔を空けて対向した保持壁４６ａ，４６ｂを備えている。保持壁４６ａ，４６ｂは、ベース板４１の下面から下方に突出し、左右方向に沿って形成されている。図５に示すように、後部保持部４６の保持壁４６ａ，４６ｂの内方に座部フレーム２１の後部連結杆２１ｂが入り込んだ状態で、後部連結杆２１ｂとベース板４１の下面との間には、上下方向に空隙Ｃ２が形成されるようになっている。
【００５１】
図８に示すように、ベース板４１において、左右の側部保持部４４，４４、前部保持部４５、後部保持部４６に囲まれた領域であるとともに、座部フレーム２１のサイドフレーム２１ａに支持された領域である後方領域Ｓｒには、同領域Ｓｒが利用者の臀部から作用する荷重に応じて下方に向けて撓むことを助長するよう、ベース板４１の厚さ方向に貫通する複数の貫通孔４１ｈが形成されている。これらの貫通孔４１ｈはいかなる形状、レイアウトとしてもよい。例えば、多数の貫通孔４１ｈを、放射状に配置してもよい。また、座面部材２３をより変形しやすい素材からなるものとしたり、薄い部材からなるものとすることによって、貫通孔４１ｈを形成しないこともある。
【００５２】
また、ベース板４１には、前部保持部４５の前方側の保持壁４５ａと、ベース板４１の前端部４１ｆとの間に、前後方向に連続するリブ４１Ｌが、左右方向に間隔を空けて複数設けられている。さらに、ベース板４１の前端部４１ｆには、左右方向に連続し、複数のリブ４１Ｌどうしを連結する連結壁４１ｗが一体に形成されている。また、各リブ４１Ｌの後端部は、前部保持部４５の保持壁４５ａに一体に接合されている。
【００５３】
このようにして、ベース板４１は、前方領域Ｓｆと後方領域Ｓｒとで上方からの荷重による弾性変形の発生のし易さが異なるように設定されている。すなわち、ベース板４１において前部保持部４５の後方領域Ｓｒは、利用者が着座したときに利用者の臀部から作用する荷重に応じて下方に向けて撓みやすくなっている。また、ベース板４１は、前部保持部４５の前方領域Ｓｆは、利用者の太腿から作用する荷重によって、複数のリブ４１Ｌによってベース板４１の前端部４１ｆが下方に撓みにくくなっている。
【００５４】
このような座面部材２３は、内方に座部フレーム２１をセットした下部カバー２２の縁部２２ｂに対し、上方から装着される。そして、側部保持部４４の前後のクランプ爪４７，４７に座部フレーム２１のサイドフレーム２１ａが挿入・保持されることで、座面部材２３が座部フレーム２１に一体に連結される。
このようにして、座部２０は、下部カバー２２と座面部材２３とが、座部フレーム２１を介して一体に連結されている。
【００５５】
また、座面部材２３は、前部連結杆２４よりも前方において、一対のサイドフレーム２１ａ，２１ａの前端部２１ｆ，２１ｆ間を覆うよう設けられているため、座面部材２３の前端部は遊端部となる。これにより、上記のように座面部材２３と座部フレーム２１とが一体に連結された状態において、座面部材２３の前側領域Ｓｆは、着座する利用者からの荷重を受けると、前端部に向かうにしたがって下方に弾性変形しやすくなる。よって、前側領域Ｓｆは、着座者の大腿部を柔軟に支持することができる。
【００５６】
その一方で、前側領域Ｓｆは、ベース板４１自体の構造により、後方領域Ｓｒよりも相対的に下方に弾性変形しにくい構成とされている。よって、前側領域Ｓｆでは、過度の弾性変形や、それによる破損及び経年劣化を防止できるようになっている。
【００５７】
座部２０は、座面部材２３を座部フレーム２１および下部カバー２２に装着した状態で、支持アーム２５、支持アーム２５を覆う下部カバー２２のアームカバー部２９および内側カバー４０が、座面部材２３の後部の左右両側から、それぞれ上方に向けて突出している。
【００５８】
このような座部２０は、左右の座部支持部３５に回動自在に連結されている。これには、内側カバー４０、支持アーム２５および下部カバー２２のアームカバー部２９の貫通孔４０ｈ、２５ｈ、２９ｈにボルト（図示無し）を貫通させ、その先端部を座部支持部３５に形成されたネジ穴（図示無し）に締結させている。このようにして、座部２０は、後端部２０ｒ側が背凭れ部３０に回動可能に連結されて、前端部２０ｆが上方に跳ね上げ可能とされている。
【００５９】
図２に示すように、座部２０の前端部２０ｆを降ろした状態では、下部カバー２２のプレート部２２ａの下面側に形成された突条５０の凹溝５１が、脚部１０の前フレーム１２の水平フレーム部１２ｂ上に載置される。このとき、図５に示すように、下部カバー２２の上面側に形成された前部凹部２７内に、座部フレーム２１の前部連結杆２４の中間部２４ａが挿入されている。つまり、脚部１０の前フレーム１２の鉛直上方に、下部カバー２２を介して、座部フレーム２１の前部連結杆２４が位置するようになっている。
【００６０】
また、図３に示すように、座部２０を上方に跳ね上げた状態では、複数の椅子１を、前後方向に重畳することができるようになっている。ここで、脚部１０は、前方に向けて左右方向の幅が漸次小さくなっているので、前方の椅子１の脚部１０の内側に、後方の椅子１の脚部１０を挿入することで、複数の椅子１を前後方向に重畳することが可能となっている。
もちろん、複数の椅子１は、上下方向に積み重ねることもできる。この場合には、下方に配設された下位の椅子１の前脚１３及び後脚１４の上方且つ前方に、上方に配設された上位の椅子１の前脚１３及び後脚１４が位置するように、複数の椅子１を順次上方に積み重ねることができる。なお、積み重ね可能な構造としては周知の構造が採用可能である。
【００６１】
このような椅子１に利用者が着座すると、利用者の荷重によって、座部２０は、表皮材４３およびクッション材４２が下方に向けて弾性変形し、ベース板４１も下方に向けて撓む。このとき、ベース板４１の後方領域Ｓｒにおいては、ベース板４１全体が下方に撓み、
ベース板４１の後方領域Ｓｒの前後の端部に位置する前部保持部４５、後部保持部４６内で前部連結杆２４、後部連結杆２１ｂにベース板４１が突き当たると、それ以上のベース板４１の下方への変位が規制される。また、ベース板４１の左右両端部では、側部保持部４４内で座部フレーム２１のサイドフレーム２１ａにベース板４１が突き当たることで、ベース板４１の下方への変位が規制される。一方、後方領域Ｓｒ内で、ベース板４１における複数の貫通孔４１ｈが形成されている部分では、更に下方に撓むことが可能とされている。
したがって、後方領域Ｓｒにおいては、その外周部では、一定以上の座面の下方への移動が規制されて剛性感が得られる一方、その内周部では、弾力感が得られる。加えて、前方領域Ｓｆでは、複数のリブ４１Ｌによって、利用者の太腿から作用する荷重によって、ベース板４１の前端部４１ｆが下方に撓みにくくなっている。
このようにして、利用者が良好で安定した着座感を得られるようになっている。
【００６２】
また、利用者の荷重によるベース板４１の上記したような下方への撓みが生じるとき、ベース板４１の内周部で下方に向けて撓みが生じることによって、ベース板４１の外周部が内周側に引き込まれるような変位が生じる。このような変位に対し、前部保持部４５は、保持壁４５ａの前方に複数のリブ４１Ｌが設けられているため、保持壁４５ａの剛性を高め、変位に対して大きな抵抗力を発揮できる。
【００６３】
（椅子の組立方法）
次に、上記したような椅子１の組立方法について説明する。
図６（ａ）に示すように、座部２０を組み立てるには、下部カバー２２に対し、座部フレーム２１を後方から斜め下方に向けて差し込み、座部フレーム２１の左右のサイドフレーム２１ａの前端部２１ｆをそれぞれ挿入部２６の挿入穴２６ｓに挿入する。このサイドフレーム２１ａの前端部２１ｆの挿入動作と並行して、座部フレーム２１の後端部（他端部）２１ｒを下方に向けて降ろす。これには、下部カバー２２の両側のアームカバー部２９を左右方向外方に向けて広げるように弾性変形させ、座部フレーム２１の両側の支持アーム２５を、アームカバー部２９の内側に落とし込む。ここで、下部カバー２２における弾性変形は、アームカバー部２９自体に生じるものに限らず、下部カバー２２におけるアームカバー部２９の基端部近傍の部分で生じるものを含む。
この後、アームカバー部２９から手を離すと、アームカバー部２９が左右方向内方に向けて復元する。すると、図６（ｂ）に示すように、左右の支持アーム２５がアームカバー部２９の周壁部２９ｗの内方に入り込み、プレート部２９ｐに沿う。これにより下部カバー２２と座部フレーム２１とが一体化される。
【００６４】
次いで、座面部材２３を、内方に座部フレーム２１がセットされた下部カバー２２の縁部２２ｂに対し、上方から装着する。そして、側部保持部４４の前後のクランプ爪４７，４７に座部フレーム２１のサイドフレーム２１ａを挿入・保持させることで、座面部材２３が座部フレーム２１に一体に連結される。
【００６５】
このようにして組み立てられた座部２０は、左右の座部支持部３５に連結する。これには、内側カバー４０、支持アーム２５および下部カバー２２のアームカバー部２９の貫通孔４０ｈ、２５ｈ、２９ｈにボルト（図示無し）を貫通させ、その先端部を座部支持部３５に形成されたネジ穴（図示無し）に締結させる。
【００６６】
背凭れ部３０は、背凭れ部３０の左右方向両端部に設けられた被支持部３２の凹部（図示無し）に、脚部１０の後部で斜め後方に向けて延出する上方延出部１８を嵌入させる。
このようにして、椅子１を組み立てることができる。
【００６７】
上述した座部２０、椅子１によれば、座部２０は、後端部２１ｒが背凭れ部３０に対して回動自在に連結された座部フレーム２１と、座部フレーム２１上を覆う座面部材２３と、座部フレーム２１の下方を覆う下部カバー２２と、を備えている。そして、下部カバー２２は、座部フレーム２１の前端部２１ｆが挿入される挿入部２６と、座部フレーム２１の後端部２１ｒを保持するアームカバー部２９と、を備えている。また、アームカバー部２９は、座部フレーム２１の後端部２１ｒが下方に変位して座部フレーム２１が下部カバー２２に装着されるときには、後端部２１ｒとの干渉を避けるよう弾性変形し、後端部２１ｒを保持する状態で弾性変形が復元して後端部２１ｒに係合する。
このような構成によれば、アームカバー部２９の弾性変形を利用して、座部フレーム２１の後端部２１ｒを容易にアームカバー部２９で保持することができる。これにより、座部フレーム２１と下部カバー２２とをネジで固定することなく、下部カバー２２と一体化することができる。したがって、座部２０の組立に際し、座部フレーム２１と下部カバー２２とを一体化した後に、座部フレーム２１上を覆うように座面部材２３を装着すればよい。その結果、座部２０の組立の際に椅子１の上下を反転させる必要がない。そして、椅子１の座部２０の組立作業性を高めることが可能となる。
【００６８】
また、座部フレーム２１は、前端部２１ｆが挿入部２６に挿入され、後端部２１ｒに形成された支持アーム２５がアームカバー部２９に保持されている。
このような構成では、座部フレーム２１は、挿入部２６に対して後方から前端部２１ｆを挿入した後、後端部２１ｒをアームカバー部２９に保持させることで、座部フレーム２１と下部カバー２２とを容易に一体化することができる。
【００６９】
また、座部フレーム２１は、上方に向けて延びる支持アーム２５を備え、下部カバー２２は、支持アーム２５の側方を覆うアームカバー部２９を備えている。
このような構成によれば、上方に向けて延びる支持アーム２５がアームカバー部２９に覆われることによって、支持アーム２５の露出を避けることができ、椅子１の外観品質を向上させることができる。
また、アームカバー部２９によって、座部フレーム２１の後端部２１ｒを保持することができるので、アームカバー部２９とは別に座部フレーム２１を保持する保持部を形成する必要がない。したがって、下部カバー２２の構造が複雑化するのを抑えることができる。
さらに、座部２０は、支持アーム２５とアームカバー部２９とで脚部１０に連結されているため、座部フレーム２１と下部カバー２２とを確実に脚部１０に連結することができる。
【００７０】
ここで、アームカバー部２９は、支持アーム２５の側方を覆うように上方に向けて延びているので、支持アーム２５を保持するに際してアームカバー部２９を軽い力で容易に弾性変形させることができる。
【００７１】
また、座部フレーム２１は、前端部２１ｆと後端部２１ｒとを結ぶ方向に対して直交し左右方向（横方向）に延びる前部連結杆２４を備え、下部カバー２２は、前端部２１ｆと後端部２１ｒとを結ぶ方向において前部連結杆２４の移動を規制する前部凹部２７を備えている。
このように、挿入部２６とアームカバー部２９に加え、前部凹部２７で座部フレーム２１の移動を規制することで、座部フレーム２１を下部カバー２２に対して確実に固定することが可能となる。
【００７２】
また、座面部材２３は、座部フレーム２１に係合するクランプ爪４７を備えている。
このように構成することで、座面部材２３と下部カバー２２とが、それぞれ座部フレーム２１に保持され、これら座面部材２３、下部カバー２２、座部フレーム２１を容易に一体化することが可能となる。
【００７３】
（変形例）
なお、本発明の座部材、椅子は、図面を参照して説明した上述の実施形態に限定されるものではなく、その技術的範囲において様々な変形例が考えられる。
例えば、座部フレーム２１は、後端部２１ｒに形成された支持アーム２５が、保持部としてのアームカバー部２９に保持されるようにしたが、これに限らない。支持アーム２５以外の部位、例えばサイドフレーム２１ａや後部連結杆２１ｂを保持する保持部を下部カバー２２に設けるようにしてもよい。
【００７４】
また、上記実施形態では、支持アーム２５は、アームカバー部２９の周壁部２９ｗの内方に位置することで、支持アーム２５の上下方向および前後方向への移動範囲が周壁部２９ｗによって規制されるようにしたが、これに限らない。支持アーム２５は、アームカバー部２９に対し、固定的に保持されるようにしてもよい。
【００７５】
さらに、上記実施形態では、座部フレーム２１を下部カバー２２に対し、後方から差し込んで組み付けるようにしたが、これに限らない。座部フレーム２１は、下部カバー２２に対し、前方、あるいは左右方向いずれか一方の方向から差し込んで組み付けるようにしてもよい。
【００７６】
また、上記実施形態では、座部フレーム２１と座面部材２３とから着座部材を構成しているが、これらを一体化したような構成とすることもできる。また、座面部材２３の下方を、荷重を支持する強度部材として機能する下部カバー２２によって覆う構成であってもよい。この場合には、二種類の材料を組み合わせて一体に成形する二色成形等の手段により、アームカバー部２９の少なくとも基端部を弾性変形可能に柔軟に構成することが可能である。
【００７７】
加えて、座部フレーム２１や下部カバー２２の構成をはじめとして、椅子１の各部の構成は、設計事項により適宜他の構成に代えてもよい。
これ以外にも、本発明の主旨を逸脱しない限り、上記実施の形態で挙げた構成を取捨選択したり、他の構成に適宜変更したりすることが可能である。
【符号の説明】
【００７８】
１  椅子
１０  脚部
２０  座部（座部材）
２０ｆ  前端部
２０ｒ  後端部
２１  座部フレーム（着座部材）
２１ｆ  前端部（一端部）
２１ｒ  後端部（他端部）
２２  下部カバー
２３  座面部材（着座部材）
２４  前部連結杆（位置決め部）
２５  支持アーム
２６  挿入部
２６ｓ  挿入穴（挿入凹部）
２７  前部凹部（移動制限部）
２９  アームカバー部（保持部）
３０  背凭れ部
４７  クランプ爪（係合部材）
【図１】
0006443963.tif 000002
【図２】
0006443963.tif 000003
【図３】
0006443963.tif 000004
【図４】
0006443963.tif 000005
【図５】
0006443963.tif 000006
【図６】
0006443963.tif 000007
【図７】
0006443963.tif 000008
【図８】
0006443963.tif 000009